(57)【要約】【課題】  この発明は、球体などの立体においても、構成ブロックをいずれの位置へも移動できるようにすることを課題とするものである。【解決手段】  この発明は、球体を分割して得られた複数のブロックを隣接ブロックと相対移動可能に連結した立体において、前記ブロックは、球体に内接する面対称仮想多面体の３以上の頂点を通る任意の円Ｒ若しくはこれらと平行な円、あるいは球体に内接する面対称仮想多面体の各稜の中心Ｍと前記球体の中心とを通る直線の球体表面との３以上の交点ＫＲを通る任意の円Ｒ若しくはこれらと平行な円、あるいは球体に内接する面対称仮想多面体の各面の中心ｍと前記球体の中心とを通る直線の球体表面との３以上の交点ＫＭを通る任意の円若しくはこれらと平行な円などで分割して形成する。【選択図】  図１
2006043062.tif 000002
【特許請求の範囲】
【請求項１】
球体を分割して得られた複数のブロックを隣接ブロックと相対移動可能に連結した立体において、
前記ブロックは、球体に内接する面対称仮想多面体の３以上の頂点を通る任意の円若しくはこれらと平行な円で分割して形成した、移動ブロックで構成された立体
【請求項２】
球体を分割して得られた複数のブロックを隣接ブロックと相対移動可能に連結した立体において、
前記ブロックは、球体に内接する面対称仮想多面体の各稜の中心と前記球体の中心とを通る直線の、球体表面との３以上の交点を通る任意の円若しくはこれらと平行な円で分割して形成した、移動ブロックで構成された立体
【請求項３】
球体を分割して得られた複数のブロックを隣接ブロックと相対移動可能に連結した立体において、
前記ブロックは、球体に内接する面対称仮想多面体の各面の中心と前記球体の中心とを通る直線の、球体表面との３以上の交点を通る任意の円若しくはこれらと平行な円で分割して形成した、移動ブロックで構成された立体
【請求項４】
球体を分割して得られた複数のブロックを隣接ブロックと相対移動可能に連結した立体において、
ブロックは、請求項１ないし請求項３の円を任意に組み合わせて分割して形成した、移動ブロックで形成された立体
【請求項５】
球体を分割して得られた複数のブロックを隣接ブロックと相対移動可能に連結した立体において、
ブロックは、請求項１ないし請求項４の円を任意に組み合わせて分割すると共に、球体の赤道線及び／又は赤道線と平行な円で分割して形成した、移動ブロックで形成された立体
【請求項６】
球体を分割して得られた複数のブロックを隣接ブロックと相対移動可能に連結した立体において、
球体に内接する面対称仮想多面体は正４面体、正６面体、正８面体、正１２面体、正２０面体とし、
ブロックは、請求項１ないし請求項５の円を任意に組み合わせて分割して形成した、移動ブロックで形成された立体
【請求項７】
面対称多面体を、請求項１ないし６の何れかの円で分割して形成した、移動ブロックで形成された立体
【請求項８】
各ブロックの周縁に溝を設け、この溝に隣接する両ブロックの溝に嵌合するジョイントブロックを装着して隣接ブロックを連結した、請求項１ないし７の何れかに記載の移動ブロックで構成された立体
【発明の詳細な説明】
【技術分野】
【０００１】
この発明は、主としてパズルやオブジェ、パッケージなどの収納具などに利用される移動ブロックで構成された立体に関するものである。
【背景技術】
【０００２】
【特許文献１】実開平４−１０５００７号
【０００３】
先に出願人は、各面に係止溝と係止凸部を設けた直方体ブロックを複数連結し、各直方体ブロックがいずれの位置へも移動可能になるようにしたブロックの移動装置を提案した（実開平４−１０５００７，実用新案登録第２５５７９８５号）。
しかしながら、球体を構成しつつ、その構成ブロックがいずれの位置にも移動できるようにしたものは知られていない。
【発明の開示】
【発明が解決しようとする課題】
【０００４】
この発明は、球体や直方体以外の多面体においても、上記直方体ブロックで実現したのと同様に、構成ブロックをいずれの位置へも移動できるようにすることを課題とするものである。
【課題を解決するための手段】
【０００５】
請求項１の発明は、球体を分割して得られた複数のブロックを隣接ブロックと相対移動可能に連結した立体において、前記ブロックは、球体に内接する面対称仮想多面体の３以上の頂点を通る任意の円若しくはこれらと平行な円で分割して形成した、移動ブロックで構成された立体である。
なお、いずれの３点を選択して円を得るか、また得る円の数は適宜選択するものであり、必ずしも全ての組み合わせで円を得る必要はない。このことは、請求項２以下においても同様である。
【０００６】
上記分割方法を図１を参照して説明する。球体１に内接する面対称仮想多面体２としての正１２面体を内接させると、その各頂点Ｐが球体に接する。球面上に表される円の大きさ、位置は３点を特定することにより定まる。そこで、球面上に３以上の頂点（例えば、Ｐ１，Ｐ２と背面側の任意の頂点Ｐ）を通る任意の円Ｒを複数描き、各円に沿って球体を分割して複数のブロックを得る。
【０００７】
請求項２の発明は、球体を分割して得られた複数のブロックを隣接ブロックと相対移動可能に連結した立体において、前記ブロックは、球体に内接する面対称仮想多面体の各稜の中心と前記球体の中心とを通る直線の、球体表面との任意の３以上の交点を通る任意の円若しくはこれらと平行な円で分割して形成した、移動ブロックで構成された立体である。
【０００８】
上記分割方法を図２を参照して説明する。球体１に仮想多面体２としての正１２面体を内接させる。この正１２面体の各稜の中心Ｍと球体の中心Oを通る直線と前記球体の表面との交点をＫＲとする。球面上に得られる複数の交点(例えば、稜の中点Ｍ１と球体の中心Oを通る直線と球面との交点ＫＲ１、中点Ｍ２と点Oとを通る直線の球面との交点ＫＲ２、背面側の同様の交点）を通る円Ｒを描き、この円に沿って球体を分割して複数のブロックを得る。
【０００９】
請求項３の発明は、球体を分割して得られた複数のブロックを隣接ブロックと相対移動可能に連結した立体において、前記ブロックは、球体に内接する仮想多面体の各面の中心と前記球体の中心とを通る直線の、球体表面との３以上の交点を通る任意の円若しくはこれらと平行な円で分割して形成した、移動ブロックで構成された立体である。
【００１０】
上記分割方法を図３を参照して説明する。球体１に仮想多面体２としての正１２面体を内接させる。この正１２面体の各面の中心ｍと球体の中心Oを通る直線と前記球体１の表面との交点をＫＭとする。球体上に得られる複数の交点ＫＭの任意の３以上の交点（例えば、図３中ＫＭ１，ＫＭ２，ＫＭ３）を通る円Ｒを複数描き、これらの円に沿って球体を分割して複数のブロックを得る。
【００１１】
請求項４の発明は、球体を分割して得られた複数のブロックを隣接ブロックと相対移動可能に連結した立体において、ブロックは、請求項１及び請求項３の円を任意に組み合わせて分割して形成した、移動ブロックで形成された立体である。
【００１２】
請求項５の発明は、球体を分割して得られた複数のブロックを隣接ブロックと相対移動可能に連結した立体において、ブロックは、請求項１ないし請求項４の円を任意に組み合わせて分割すると共に、球体の赤道線及び／又は赤道線と平行な円で分割して形成した、移動ブロックで形成された立体である。
【００１３】
請求項６の発明は、球体を分割して得られた複数のブロックを隣接ブロックと相対移動可能に連結した立体において、球体に内接する仮想正多面体は正４面体、正６面体、正８面体、正１２面体、正２０面体とし、ブロックは、請求項１ないし請求項３の円を任意に組み合わせて分割して形成した、移動ブロックで形成された立体である。
請求項４、請求項５のように、複数の分割方法を組み合わせることにより、ブロックを一層複雑に移動させることが可能となる。
【００１４】
請求項７の発明は、各ブロックの周縁に溝を設け、この溝に隣接する両ブロックの溝に嵌合するジョイントブロックを装着して隣接ブロックを連結した、請求項１ないし５の何れかに記載の移動ブロックで構成された立体である。
【００１５】
この発明は、球のみでなく多面体に適用することもできる。正多面体を、前記請求項１ないし６の手法で分割し、分割面は球体の中心に向かう傾斜面とし、分割された多面体に形成される各ブロックを、隣接ブロックと総体移動可能に連結することにより、移動ブロックで構成された立体となる（請求項７）。
この態様は、前記請求項１ないし６の発明における各ブロックの表面の弧面部分をそぎ落として平面としたものに相当する。また、球を構成する各ブロックの表面に立体的なパーツを取り付けて多面体として構成したり、任意の三次元形状とすることもできる。
なお、各ブロックの分割面は、前記傾斜面に限られない。ブロックが相対移動可能であれば、垂直面（例えば赤道面と平行な面）とすることもできる。
【００１６】
前記請求項１ないし６における「面対称仮想多面体」は、分割する位置を決定するために仮想するものであり、これらの発明の構成要素として「多面体」が存在するものではない。そして、仮想多面体の形状としては、面対称であればよく、例えば正四面体、正六面体、正八面体、正１２面体、正２０面体、２６面体、３２面体などがある。
【００１７】
前記各ブロックの連結は、各ブロックの側面に隣接ブロックの側面に設けた凸部と嵌合する溝を設ける態様の他、各ブロックの周縁に溝を設け、この溝に隣接する両ブロックの溝に嵌合するジョイントブロックを装着して隣接ブロックを連結する構成も可能である（請求項８）。
【００１８】
この発明において、ブロックは薄い板状であっても、球体の中心まで至る角錐状のものでもよい。前記ブロックの一部を着脱可能とする（例えばブロックを弾性変形可能とする）、あるいは一部のブロックを省略して開口部を設けると共に、球体又は多面体を中空にする（すなわちブロックを肉薄にする）ことにより収納具などとして使用することも可能となる。
また、前記各ブロックを中空とし（球体の場合、各ブロックの形状はその中心に向けて先細となる中空角錐状とする）、表面盤を開閉可能として各ブロックの中に物を収納できるようにしたり、中空部に空気の入ったボールなど水に浮くものを入れることにより水に浮かすこともできる。
さらに、各ブロックの当接部に小突起と凹部を形成し、ブロックを移動して左右又は上下のブロックとの相対位置が正しくなったときにクリック感（カシャという感触）が得られるようにすることもできる。
なお、以下の実施形態に示す隣接ブロックとの係止構造は一例であり、係止構造は適宜選択することができる。
【００１９】
この発明の作動を、最も単純な構成である仮想多面体２を正四面体とした場合を例にとって説明する。
図4において、球体１に内接する面対称仮想多面体２である仮想正四面体Ａ，Ｂ，Ｃ，Ｄにおいて、面の中心と球体１の中心とを結ぶ線の球面との交点ＫＭ１ないしＫＭ４を求め（ＫＭ４は裏面に隠れて図に表れない）、２頂点Ａ，Ｂと頂点Ａに対向する交点ＫＭ１を通る円Ｒ１，２頂点Ｂ，Ｃと頂点Ｂに対向する交点ＫＭ２，２頂点Ｃ、Ｄと頂点Ｃに対向する交点ＫＭ３，２頂点Ｄ，Ａと頂点Ｄに対向する交点ＫＭ４，２頂点Ａ，Ｃと頂点Ａに対向する交点ＫＭ１，２頂点Ｂ，Ｄと頂点Ｂに対向する交点ＫＭ１のそれぞれ３点を通る６つの円Ｒ１ないしＲ６を得る。
前記円Ｒ１ないしＲ６に沿って球体１を分割して多数のブロックＢを得、これらのブロックＢは凹凸嵌合などの手段により、相対移動可能に連結する。
【００２０】
ここで各ブロックは、前記分割円Ｒ１ないしＲ６に沿って移動する。例えば、図５において分割円Ｒ３の上方に位置するブロック、下方に位置するブロックはそれぞれひとまとめとして分割円Ｒ３に沿って回転移動でき、分割円Ｒ４の右側に位置するブロック、左側に位置するブロックはそれぞれひとまとめとして分割円Ｒ４に沿って回転移動する。他の分割円においても同様である。したがって、各ブロックは球体１の任意の位置に移動することができる。
【００２１】
図６の構成は以下のとおりである。
球体１に内接する面対称仮想多面体２である仮想正四面体Ａ，Ｂ，Ｃ，Ｄの３つの頂点を通る円を描き４本の分割円をえる。すなわち、頂点ＡＢＣを通る分割円Ｒ１，ＡＣＤを通る分割円Ｒ２、ＢＣＤを通る分割円Ｒ３，AＢDを通る分割円Ｒ４をえる。
次いで、前記仮想正四面体Ａ，Ｂ，Ｃ、Ｄの各頂点と、各稜線の中点と球体１の中心とを結ぶ線が球体面と交差する点ＫＲ１ないしＫＲ６のうちの２点を通る６つの円Ｒ５ないしＲ１０を描き、前記分割円Ｒ１ないしＲ１０で球体を分割する（図８）。
ここで、各分割円Ｒ１ないしＲ１０に沿って、各分割円に対峙するブロック毎にまとめて回転することができ、各ブロックＢは球体１の任意の位置に移動することができる。
【００２２】
図１０は２６面体を示すものであり、この２６面体が内接する球体を、２６面体の隣接する３つの頂点を通る円で分割すると、２６のブロックが得られる。
このとき、例えば頂点Ａ，Ｂ，Ｃ，Ｄ，Ｅ，Ｆ，Ｇ，Ｈを通る円においては、ブロックは頂点Ａ，Ｂ，Ｃ，Ｄ，Ｅ，Ｆ，Ｇ，Ｈ，を結ぶ円を境界としたグループを単位として前記円に沿って回転移動することができる。同様に他の分割円においても、それぞれの円を境界としたグループを単位としてブロックを移動させることができる。
上記に加えて、球体の赤道線によって球体を上下に分割すると、３４のブロックに分割され、赤道を境界としたグループを単位として赤道に沿って回転移動させることができる。
また、更に赤道線又は子午線と平行な複数の円で分割してブロックを移動可能とすることもできる。
【００２３】
また、図１０に示す２６面体は面対称であるから、２６面体それ自体を移動ブロックで構成された立体とすることもできる。
すなわち、頂点Ａ，Ｂ，Ｃ，Ｄ，Ｅ，Ｆ，Ｇ，Ｈを含む第１の分割面、頂点Ｉ，Ｊ，Ｋを含む第１の分割面に平行な第２の分割面、頂点Ａ，Ｄを含む第１の分割面と直角な第３の分割面、頂点Ｈ，Ｅを含む前記第３の分割面と平行な第４の分割面で２６面体を分割すると、２６面体は２６個のブロックに分割される。そして、各ブロックが前記分割面に沿って分割面を境界としたグループ単位で回転移動できるように、隣接するブロック同士を凹部と凸部の係止によって連結する。
前記各ブロックの側面形状は、２６面体の中心に向かう傾斜面であり、四角錐又は三角錐となる。
前記凹部と凸部は共に、各分割面の中心点を中心とした円をなして形成することにより、前記分割面を境界としたグループ単位での移動が可能となる。
なお、この発明において「任意の位置に移動することができる」とは移動前におけいて他のブロックが位置する位置に移動できることをいい、前記他のブロックと置き換わる場合のみを意味するものではない。
【００２４】
この発明の移動ブロックで構成された立体は、表面に絵や模様を表すことによりパズルとして使用したり、絵柄を変更できるオブジェとして使用したりすることができる。また一部のブロックに開口部を設けることによりモノ入れとして使用することもできる。更に、各ブロックの表面に立体的な造形物を付加することもできる。
なお、ブロックは扁平なものでも、立体の中心に及ぶ厚いものでもよく、使用目的によって選択する。
【発明を実施するための最良の形態１】
【００２５】
図１１は、球体１に内接する仮想正四面体Ａ，Ｂ，Ｃ，Ｄの３つの頂点を通る円を描き４本の分割円Ｒ１ないしＲ４をえる。すなわち、頂点ＡＢＣを通る分割円Ｒ１，ＡＣＤを通る分割円Ｒ２、ＢＣＤを通る分割円Ｒ３，AＢDを通る分割円Ｒ４をえる。
次いで、前記仮想正四面体Ａ、Ｂ、Ｃ、Ｄのいずれかの２頂点と、各面の中心点と球体１の中心とを結ぶ線が球体面と交差する点ＫＭ１ないしＫＭ４のいずれかの１点を通る６つの円Ｒ５ないしＲ１０を描き（図１２）、前記分割円Ｒ１ないしＲ１０で球体を分割する（図１３）。
前記各ブロックの側面は球体の中心に向かう傾斜面であり、隣接ブロックごとに移動可能に連結してある。連結構造としては、一方のブロックの側壁に溝を形成し、他方のブロックの側壁に前記溝に摺動自在に装着される凸部を設ける構造、又は双方のブロックの側壁に溝を設け、この溝に嵌るジョイント帯で連結する構造が考えられる。
【００２６】
この実施形態において、分割円Ｒ５ないしＲ１０は球体を半球に分割するものなので、各ブロックは分割円Ｒ５ないしＲ１０に沿って、自由に移動することができる。すなわち、分割円Ｒ９に沿ってブロックＢ２−１１，Ｂ２−３，Ｂ２−６，Ｂ２−９、Ｂ２−１２、Ｂ２−１、そしてＢ１−２他図面上これらの背後にあるブロックが１組として回転し、他の分割円に沿ってもそれぞれ各分割円で対峙するブロックが１組となって回転する。
したがって、例えばブロックＢ２−１１を分割円Ｒ９に沿って１８０度回転させて点対称の位置へ移動し、次いで分割円Ｒ５に沿って回転させて図中Ｂ１−１の位置まで移動させることができる。そして、同じ要領で各部ブロックを任意の位置へ移動させることができる。
【発明を実施するための最良の形態２】
【００２７】
図１４は、正四面体の任意の３つの頂点を通る４つの円Ｒ１ないしＲ４に加えて、分割円を１つの頂点において複数本形成したものである。図１４においては、仮想正四面体の１つの頂点ごとに頂点を中心とした３本の分割円８，８ａ，８ｂ、９，９ａ，９ｂ、１０，１０ａ，１０ｂ、１１，１１ａ，１１ｂ、（１１，１１ａ、１１ｂは図に現れていない）を形成してある。前記分割円８，９，１０，１１は３つの頂点を中心に描かれた３本の分割円が１点で交差するようにしてあり、分割円８は分割円９ｂ、１０ｂ、１１ｂと接し、分割円８ａは分割円９ａ，１０ａ，１１ａと接し、分割円８ｂは分割円９，１０，１１と接するように形成してあり、ブロックＢ１ないしＢ４（図にはＢ１のみ示す）をそれぞれ１８個のブロックＢ１−１ないしＢ１−１８に分割してある。
図においては、前記頂点を中心とした分割円相互の交わりにより、木の葉状のブロックＣ、Ｄなどが形成されている。この木の葉状のブロックはその上下に隣接する何れのブロックとも共に移動することができる。
前記分割円の間隔は上記に限定されるものではなく、例えば分割円８と分割円９ｂが交差する態様とすることもできる。
この実施形態においては、合計１２本の分割円に沿ってブロックを移動させることができ、複雑な動きを得ることができる。
【発明を実施するための最良の形態３】
【００２８】
図１５は、球体１に内接する仮想正八面体２の３つの頂点を通る任意の３本の分割円Ｒ１，Ｒ２，Ｒ３得、この各分割円Ｒ１，Ｒ２，Ｒ３を挟んでそれぞれ分割円と平行な２本の分割円Ｒ１ａ，Ｒ１ｂ，Ｒ２ａ，Ｒ２ｂ，Ｒ３ａ，Ｒ３ｂを形成して８枚の三角形状ブロックＢ１ないしＢ８と、帯状ブロックＬ１ないしＬ８と方形ブロックＳ１ないしＳ６を得る（Ｂ４、Ｂ８、Ｌ３、Ｌ４、Ｌ７、Ｌ８、Ｓ３、Ｓ４、Ｓ６は図に現れていない）。
この実施形態において、分割円Ｒ２ａに沿ってブロックＢ１，Ｂ２，Ｂ５，Ｂ６とこれらに挟まれる帯状ブロックと方形ブロックを１組として回転させることができ、他の分割円においても同様である。したがって、各部ブロックを任意の位置に移動させることができる。
なお、図１５においては更に前記分割円Ｒ１，Ｒ２，Ｒ３が通る頂点を中心とした分割円Ｒ４，Ｒ５，Ｒ６・・・によりブロックを分割している。
【発明を実施するための最良の形態４】
【００２９】
図１６、図１７は図１５の構成における３つの頂点を通る円では分割せず、これらと平行な前記分割円Ｒ１ａ，Ｒ１ｂ，Ｒ２ａ，Ｒ２ｂ，Ｒ３ａ，Ｒ３ｂで分割し、加えて仮想正八面体の各頂点を中心としてそれぞれ１本の分割円Ｒ４，Ｒ５、Ｒ６・・・を設けたものであり、隣接する分割円Ｒ４，Ｒ５，Ｒ６は分割円２１ａ，２１ｂ，２２ａ，２２ｂ，２３ａ，２３ｂとの交点において互い交差するようにしてある。この６本の分割円Ｒ１ａ，Ｒ１ｂ，Ｒ２ａ，Ｒ２ｂ，Ｒ３ａ，Ｒ３ｂによって、８個の三角形状のブロックＢ１ないしＢ８（Ｂ５，Ｂ７，Ｂ８は図に現れていない）に分割される。そして、ブロックＢ１ないしＢ８は前記頂点を中心とした分割円Ｒ４，Ｒ５，Ｒ６・・・によって、中央の三角形状ブロックＢ１−１ないしＢ８−１を囲む同じ形状・大きさの３個の三角形状ブロックに分割されている。
すなわち、ブロックＢ１はＢ１−２，Ｂ１−３，Ｂ１−４に分割され、ブロックＢ２はブロックＢ２−２ないしＢ２−４に、ブロックＢ３はブロックＢ３−２ないしＢ３−４に、ブロックＢ４はブロックＢ４−２ないしＢ４−４に、ブロックＢ５はブロックＢ５−２ないしＢ５−４に、ブロックＢ６はブロックＢ６−２ないしＢ６−４に、ブロックＢ７はブロックＢ７−２ないしＢ７−４に、ブロックＢ８はブロックＢ８−２ないしＢ８−４に、それぞれ分割されている。
また、前記対向する分割円Ｒ１ａ，Ｒ１ｂ，Ｒ２ａ，Ｒ２ｂ，Ｒ３ａ，Ｒ３ｂに挟まれた帯状ブロックＬ１ないしＬ１２は、前記分割円Ｒ５、Ｒ６・・・の交わりにより交わり部分に形成された木の葉状の小ブロックＫ１ないしＫ１２（図にはＫ１，Ｋ２，Ｋ９のみが現れている）によって分割されている。
すなわち、図１５における帯状ブロックＬ１に相当する部分は木の葉状ブロックＫ１によって帯状ブロックＬ１−１とＬ１−２に分割されている。他の帯状ブロックも同様であり、図１６、図１７に現れたものにおいては帯状ブロックＬ２が木の葉状ブロックＫ２によって帯状ブロックＬ２−１とＬ２−２とに分割され、帯状ブロックＬ９が木の葉状ブロックＫ９によって帯状ブロックＬ９−１とＬ９−２とに分割されている。
前記木の葉状ブロックＫ１は、ブロックを分割円Ｒ４に沿って回転させる場合は、ブロックＢ１−２、Ｌ１−１、Ｂ２−２の組となってこれらと共に回転し、分割円Ｒ５に沿って回転させる場合は、ブロックＢ１−４，Ｌ１−２，Ｂ２−３の組となってこれらと共に回転する。
【００３０】
この実施形態において、ブロックの移動がスムーズに行えるように、各ブロックの連結部の凹凸関係は図１７に示すようにしてある。図１７において、帯状に塗りつぶした部分は隣接ブロックに形成された凸部３１であり、この凸部が受け側のブロックに形成された溝３２に嵌合している（図１８）。
三角形状のブロックＢ２において、中心に位置するブロックＢ２−１は全ての側壁に全長にわたり溝３２が形成してあり、これを囲む３個のブロックＢ２−２ないしＢ２−４は側壁に凸部３１が形成してある。この凸部は移動時に他のブロックの隅部に当たらないよう、両端部には形成していない。他のブロックＢ１，Ｂ２，Ｂ３，Ｂ４，Ｂ５、Ｂ６，Ｂ７，Ｂ８においても同様である。
帯状ブロックＬは前記ブロックＢ１、Ｂ２，Ｂ３・・・に接する側壁に全長にわたり溝３２が形成してあり、方形ブロックＳに接する側壁に凸部３１が設けてあり、方形ブロックＳは全ての側壁に全長にわたり溝３２が設けてある。また、木の葉状ブロックＫに接する側壁には全長にわたり溝３２が設けてあり、木の葉状ブロックＫには凸部３１が設けてある。
【発明を実施するための最良の形態５】
【００３１】
図１９は、球体の北極Ｎを頂点とし、ここと赤道４０を１０等分する点Ａ，Ｂ，Ｃ，・・・Ｊを結んで得られる１０個の二等辺三角形と、南極Ｓを頂点とし、ここと赤道を１０等分する点Ａ，Ｂ，Ｃ，・・・Ｊ（ＧないしＪは図に現れていない）を結んで得られる１０個の二等辺三角形より構成される２０面体を、球に内接する仮想多面体としたものである。
前記仮想２０面体の任意の３頂点を通る円として、図２０に示すように赤道線４０と５本の子午線４１，４２，４３，４４，４５を得る。そして球体を前記赤道線を挟む赤道線と平行な２本の線４０ａ、４０ｂ及び赤道線４０と北極Ｎにおいて同心の２本の分割円５１，５２と南極Ｓにおいて同心の２本の分割円５３、５４によって分割し、赤道線４０に沿ったブロック列Ｂ０と、その上方及び下方のブロック列Ｂ１１，Ｂ１２，Ｂ１３を得る。前記各ブロック列の縦方向の長さは同じ長さとしてある。
【００３２】
前記各ブロック列は、前記５本の子午線（経線）４１〜４５に沿って移動できるように分割されている。
すなわち、前記ブロック列Ｂ０及びＢ１１ないしＢ１３は、前記５本の子午線で各ブロック列共にそれぞれ１０のブロックＢ０−１ないしＢ０−１０、Ｂ１１−１ないしＢ１１−１０、Ｂ１２−１ないしＢ１２−１０，Ｂ１３−１ないしＢ１３−１０に分割されている。
【００３３】
前記各部ブロックは、各分割線に沿って何れの方向にも移動できるように凸部３１と凹部３２によって連結されている。その具体的態様は以下の通りである（図２１ないし図３２）。
（ブロック列Ｂ０）
ブロック列Ｂ０を構成する１０枚のブロックは、左右両側に左右の隣接ブロックの裏面に当接する凸段部６１を有するブロックＢ０−１，３，５，７，９（図２１）と、左右両側に前記凸段部６１の上面に当接する凹段部６２を有するブロックＢ０−２、Ｂ０−４、Ｂ０−６、Ｂ０−８、Ｂ０−１０（図２２）の二種類のブロックで構成してある。前記二種類のブロックは、何れも上側及び下側に上下のブロック列Ｂ１と係止する凸部３１を有している。
前記凸段部６１の幅は凹段部６２の幅よりも狭くし、凹段部６２に形成される間隙をジョイントブロックＢ１１−Ｊの凸部３１が通過できるようにしてある（図２３）。
【００３４】
（ブロック列Ｂ１１、Ｂ１２）
前記ブロック列Ｂ１１、Ｂ１２において、子午線４１ないし４５に沿ってそれぞれジョイントブロックＢ１１−Ｊ、Ｂ１２−Ｊが介在し、これらのジョイントブロックを介してブロックＢ１１−１ないしＢ１１−１０，Ｂ１２−１ないしＢ１２−１０は連結されている。
すなわち、前記各ブロックＢ１１−１ないしＢ１１−１０（図２４）はいずれも裏面の左右両側にジョイントブロックＢ１１−Ｊの凸部３１と係止する溝３２が形成してあり、上側にはブロック列Ｂ１２のブロックの溝３２に係止する凸部３１、下側にはブロック列Ｂ０のブロックの凸部３１に係止する溝３２が形成してある。
前記ブロックＢ１２−１ないしＢ１２−１０（図２５）も同様の構成であり、裏面の左右両側にジョイントブロックＢ１２−Ｊの凸部３１と係止する溝３２が、上側にはブロックれるＢ１３のブロックの溝３２に係止する凸部３１，下側にはブロック列Ｂ１１のブロックの凸部３１に係止する溝３２が係止してある。
前記溝３２はブロックの上面の周縁よりも内側に形成してあり、連結したときにジョイントブロックは裏面に隠れて、ブロック列を構成するブロックの上面の周縁同士が接するようにしてある。
前記ジョイントブロックＢ１−ＪとＢ２−Ｊ（図２６）とは同じ形状、大きさであり、左右両側に隣接するブロックＢ１−１ないしＢ１−１０又はＢ２−１ないしＢ２−１０の両側に形成された溝３２と係止する凸部３１が形成してあり、上側には凸部３１，下側には溝３２が形成してある。
【００３５】
（ブロック列Ｂ１３）
前記ブロック列Ｂ１３は、平面視三角形の１０個のブロックＢ１３−１ないしＢ１３−１０と、これらを連結する１０個のジョイントブロックＢ３−Ｊで構成してあり、前記ブロックＢ３−１ないしＢ３−１０は共同して極点Ｎ、Ｓを形成するようにしてある。
前記ブロックＢ１３−１ないしＢ１３−１０（図２７）は裏面の左右両側にジョイントブロックＢ１３−Ｊと係止する溝３２が形成してあり、下側にはブロック列Ｂ１２の凸部３１と係止する溝３２が形成してある。そして、前記溝３２はブロックの上面の周縁よりも内側に形成してあり、連結したときにジョイントブロックは裏面に隠れてブロック列を構成するブロックの上面の周縁同士が接するようにしてある。
ジョイントブロックＢ３−Ｊ（図２８）は、左右両側に隣接するブロックＢ３−１ないしＢ３−１０の両側に形成された溝３２と係止する凸部３１が形成してあり、下側にはブロック列Ｂ１２のブロックに形成された凸部３１に係止する溝３２が形成してある。
なお、ジョイントブロックＢ１３−ＪはブロックＢ１３−１ないしＢ１３−１０が上部で幅狭であるので、その長さはブロックＢ１３−１ないしＢ１３−１０よりも短くして、ブロック列Ｂ１３のブロックが子午線に沿って移動できるようにしてある。
前記各凸部３１及び溝３２は、各部ブロックが移動可能となるように、移動の際に凸部同士が接触しないような長さとしてある。
【００３６】
上記実施形態において、子午線に沿ってジョイントブロックを介在させ、ジョイントブロック以外のブロックは、赤道に沿ったブロック列Ｂ０における５個のブロックを除き、左右の連結部は全て凹部としてある。したがって、１本の子午線を挟んで２分割された半球部分を単位として、子午線に沿って自由に回転させることができる。
また各ブロック列は、ブロック列を１セットとして赤道方向に回転させることができる。
したがって、表面に現れている全てのブロックは任意の位置に移動させることができる。
【発明を実施するための最良の形態６】
【００３７】
図３３は、３２面体を球に内接する仮想多面体としたものであり、この３２面体は、正五角形の各辺に正三角形を接合させ、１２面の正五角形と２０面の正三角形で構成されている。前記３２面体の３つの頂点を通る円によって、分割円Ｒ１ないしＲ５を得、球体を五角形状のブロック６１と三角形状のブロック６２に分割してある。各ブロックの縁には凹部が形成してあり、隣接するブロックと凹部間にジョイントブロック（図２２参照）を介在させて連結し、各ブロックは移動可能としてある。
この実施形態において、各分割線を境として対峙するブロック群は移動することができる。
なお、上記と同じ分割円は、正１２面体を球に内接させ、各辺の中点と球体の中心とを結ぶ直線が球面と交わる交点を求め、３つの交点を通る円を分割円としても得ることができる。
【００３８】
図３４は、３２面体を球に内接させ、各面の中心と球体の中心とを結ぶ直線が球面と交わる交点を求め、３つの交点を通る円によって分割円Ｒ１１ないしＲ２０を得、球体を正三角形状のブロック６３，二等辺三角形状のブロック６４，五角形状のブロック６５に分割してある。
ここで、正三角形状のブロック６３の３縁には凹部が、二等辺三角形状のブロック６４の等しい長さの２縁には凸部、他の縁には凹部が、五角形状のブロック６５の全ての縁には凸部がそれぞれ形成してあり、二等辺三角形状のブロック６４がジョイントの機能を果たして正三角形状のブロック６３と五角形状のブロック６５が凹凸嵌合により連結されている。
この実施形態において、各分割円を境として対峙するブロック群は移動することができる。
【００３９】
図３５は球体を図３３における分割線Ｒ１ないしＲ５と、図３４における分割円Ｒ１１ないしＲ２０の双方で分割し、図３３における五角形状ブロック６１を図３４における正三角形状のブロック６３，二等辺三角形状のブロック６４，五角形状のブロック６５に分割したものである。
前記五角形状のブロック６５の縁には凸部を形成し、他のブロックの縁には凹部を形成して、凹部同士が隣接する位置においてはジョイントブロックで連結する構成は上記と同様である。
この実施形態においては、分割線Ｒ１ないしＲ５と分割円Ｒ１１ないしＲ２０の双方に沿ってブロック群を移動することができる。
【発明を実施するための最良の形態７】
【００４０】
図３６は、上記と同じく３２面体を仮想多面体としたものであり、上記図３３における分割円Ｒ１ないしＲ５を挟んでそれぞれ一対の分割線Ｒ１ａ，Ｒ１ｂ，Ｒ２ａ，Ｒ２ｂ，Ｒ３ａ，Ｒ３ｂ，Ｒ４ａ，Ｒ４ｂ，Ｒ５ａ，Ｒ５ｂを描き、これら分割円Ｒ１ないしＲ５と平行な分割円で分割して、五角形状のブロック６１，三角形状のブロック６２に加えて平行四辺形状のブロック６７に分割したものである。
各ブロックの縁には凹部が形成してあり、隣接するブロックと凹部間にジョイントブロック（図２６参照）を介在させて連結し、各ブロックは移動可能としてある。
この実施形態において、各分割線を境として対峙するブロック群は移動することができ、加えて対向する分割線に挟まれた三角形状のブロックと平行四辺形状のブロックは帯をなしたまま移動することができる。
なお、ジョイントブロックを用いなくとも、前記五角形状のブロック６１の全ての縁に凹部を、三角形状のブロック６２の五角形に接する縁には凸部、その他の縁には凹部を、平行四辺形状のブロック６７の全ての縁に凹部をそれぞれ形成して凹凸嵌合により連結すれば、各ブロックは相対移動可能となる。
【００４１】
図３７は、上記図３５の態様に対応するものであり、図３６に示す分割円に加えて、３２面体の五角形の面の中心と球体の中心とを結ぶ直線と球体表面との交点を求め、前記各交点を中心としてそれぞれ分割円Ｒ１１ないしＲ２０（図中鎖線で示す）を描き、前記五角形状のブロック６１を更に三角形状のブロック６３，二等辺三角形状のブロック６４，五角形状のブロック６５に分割したものである。
前記分割円Ｒ１１にしＲ２０は隣接する分割円が交わるようにしてあり、交わり部分に木の葉状ブロック６７ａが形成してある。
前記五角形状のブロック６５及び木の葉状ブロック６７ａの縁には凸部が形成してあり、他のブロックの縁には凹部が形成してあり、凹部同士の連結位置にはジョイントブロックが介在させてある。
この実施形態においては、各分割線、分割円に沿ってブロックが移動することができる。
【発明を実施するための最良の形態８】
【００４２】
図３８は、球体１に内接する正１２面体の各稜の中点と球体の中心とを結ぶ直線の球体表面との交点を求め、３つの交点を通る１２個の円を分割円Ｒ１ないしＲ１２としたものである。この分割円は、各分割円が複数の分割円と接する。
このような１２個の分割円Ｒ１ないしＲ１２によって、球体は大きな正三角形状の５つのブロック１０３（１０３ａ，１０３ｂ，１０３ｃ，１０３ｄ，１０３ｅ）と、前記正三角形の頂点に位置する五角形状の１つのブロック１０４と、この五角形状のブロック１０４に接する５つの二等辺三角形状のブロック１０５（１０５ａ，１０５ｂ，１０５ｃ，１０５ｄ，１０５ｅ）に分割される。
そこで、前記各分割されたブロックを相対移動可能なように凹部と凸部との係止によって接続すると、各ブロックは球形をなしつつ移動することができる。
上記分割円は、図３４において３２面体を内接させて得た分割円と同じものである。このように、円の通る３点の選択を変えることにより、異なる多面体を球に内接させて同じ分割円を得ることが可能である。
【００４３】
図３８において、ブロックは各分割円単位で移動することができる。例えば、分割円Ｒ１に沿ってブロックを回転させることにより、ブロック１０３ｅはブロック１０３ａの位置へ移動することができる。次いで分割円Ｒ４に沿って回転させることにより、前記のように移動したブロック１０３ｅは１０３ｂの位置に移動することができる。このような操作を繰り返すことにより、五角形状のブロック１０４を除いて、各部ロックは球体の各位置へ移動することができる。
【００４４】
図３９は、図３８に示した実施形態のブロックを更に１２個の分割円Ｒ２１ないしＲ３２（一部は隠れて図示されない）によって分割したものである。
前記分割円Ｒ２１ないしＲ３２（図に鎖線で示す、一部は隠れて表れない）は、前記２０面体の各頂点を中心とし、頂点から延びる稜の中点と球体の中心とを通る直線が球体面と交差する点を通るもので、隣接する分割円は全て接するようにしてある。
この分割円Ｒ２１ないしＲ３２によって、前記大きな正三角形状のブロック１０３は更に３辺が凸弧をなす３つのブロック１０７と、３辺が凹弧をなす１つのブロック１０８とに分割される。そして、各ブロックは図３８における大径の分割円Ｒ１ないしＲ１２に加えて小径の１２個の分割円Ｒ２１ないしＲ３２に沿っても移動することができるので、一層複雑な移動が可能となる。
【発明を実施するための最良の形態９】
【００４５】
図４０ないし３８は、球体をなすブロックの外面にラグビーボール状をなす外ブロックを取り付けたものである。
前記球体をなすブロック（図４２）は、球体を図２０に示す分割線５１，５２，５３，５４及び４０ａ、４０ｂで分割すると共に、球体を平面視４等分する子午線１１０，１１１で分割してある。そして、前記分割により得られた各ブロックは移動可能に連結されている。
前記ラグビーボール状をなす外ブロックは、長縁側は前記球体の分割線５１と同じ径の分割線１５１，分割線５２と同じ径の分割線１５２，５３と同径の分割線１５３，５４と同径の分割線１５４，４０ａと同径の分割線１４０ａ、４０ｂと同径の分割線１４０ｂによって分割され、端縁側は４等分する分割線１１２，１１３で分割して形成してある。
そして、前記外ブロックは、分割線１１２，１１３にそって隣接するブロック同士は連結されておらず、長縁方向に隣接するブロック同士は連結されている。また、分割線１５２より頂点側のブロックは、分割線５２より図中右側の球をなすブロックと、分割線１５２と１５１の間のブロックは分割線５２と５１の間のブロックと、分割線１５１と１４０ａの間のブロックは分割線５１と４０ａの間のブロックと、という要領で結合されている。
この実施形態においては、外ブロックは分割線に沿って移動することができる。
【産業上の利用可能性】
【００４６】
この発明によれば、立体を構成するブロックを、立体上の任意の位置に移動させることができる。したがって、ブロックの表面に適宜の装飾を施すことにより、パズルや模様が変化するオブジェなどとして使用することができる。
【図面の簡単な説明】
【００４７】
【図１】請求項１の発明の概略を示す図
【図２】請求項２の発明の概略を示す図
【図３】請求項３の発明の概略を示す図
【図４】発明の概略を示す図
【図５】発明の概略を示す図
【図６】発明の概略を示す図
【図７】発明の概略を示す図
【図８】発明の概略を示す図
【図９】発明の概略を示す図
【図１０】正２０面体を用いた発明の概略を示す図
【図１１】実施形態１の分割方法を示す図
【図１２】実施形態１の分割方法を示す図
【図１３】実施形態１の斜視図
【図１４】実施形態２の分割方法を示す図
【図１５】実施形態３の分割方法を示す図
【図１６】実施形態４の分割方法を示す図
【図１７】実施形態４の嵌合状態を示す図
【図１８】同じく断面図
【図１９】実施形態５の多面体と球体の関係を示す図
【図２０】実施形態５の斜視図
【図２１】実施形態５のブロック列Ｂ０のブロックの裏側斜視図
【図２２】実施形態５のブロック列Ｂ０の他のブロックの裏側斜視図
【図２３】実施形態５のブロック列Ｂ０の連結部の断面図
【図２４】実施形態５のブロック列Ｂ１１のブロックの裏側斜視図
【図２５】実施形態５のブロック列Ｂ１２のブロックの裏側斜視図
【図２６】実施形態５のブロック列Ｂ１１，Ｂ１２のジョイントブロックの裏側斜視図
【図２７】実施形態５のブロック列Ｂ１３のブロックの裏側斜視図
【図２８】実施形態５のブロック列Ｂ１３のジョイントブロックの裏側斜視図
【図２９】実施形態５のブロック列Ｂ０とＢ１１の連結部の断面図
【図３０】実施形態５のブロック列Ｂ１１とＢ１２の連結部の断面図
【図３１】実施形態５のブロック列Ｂ１２とＢ１３の連結部の断面図
【図３２】実施形態５のブロック列Ｂ１１の連結部の断面図
【図３３】実施形態６の斜視図
【図３４】実施形態６の別の例の斜視図
【図３５】実施形態６の更に別の例の斜視図
【図３６】実施形態７の斜視図
【図３７】実施形態７の別の例の斜視図
【図３８】実施形態８の斜視図
【図３９】実施形態８の別の例の斜視図
【図４０】実施形態９の斜視図
【図４１】同じく側面図
【図４２】同じく中に組み込まれる球体の斜視図
【図４３】同じく球体と外ブロックとの関係を示す断面図
【符号の説明】
【００４８】
１     球体
２     仮想多面体
Ｒ     分割円
Ｐ     仮想多面体の頂点
Ｍ     仮想多面体の稜の中点
ｍ     仮想多面体の面の中心
ＫＲ     仮想多面体の稜の中点と球の中心とを結ぶ直線が球面と交わる点
ＫＭ     仮想多面体の面の中心と球の中心とを結ぶ直線が球面と交わる点
Ｏ     球の中心
Ｂ     ブロック
３１    凸部
３２    溝
４０    赤道
４１，４２，４３，４４，４５    子午線
【図１】
2006043062.tif 000003
【図２】
2006043062.tif 000004
【図３】
2006043062.tif 000005
【図４】
2006043062.tif 000006
【図５】
2006043062.tif 000007
【図６】
2006043062.tif 000008
【図７】
2006043062.tif 000009
【図８】
2006043062.tif 000010
【図９】
2006043062.tif 000011
【図１０】
2006043062.tif 000012
【図１１】
2006043062.tif 000013
【図１２】
2006043062.tif 000014
【図１３】
2006043062.tif 000015
【図１４】
2006043062.tif 000016
【図１５】
2006043062.tif 000017
【図１６】
2006043062.tif 000018
【図１７】
2006043062.tif 000019
【図１８】
2006043062.tif 000020
【図１９】
2006043062.tif 000021
【図２０】
2006043062.tif 000022
【図２１】
2006043062.tif 000023
【図２２】
2006043062.tif 000024
【図２３】
2006043062.tif 000025
【図２４】
2006043062.tif 000026
【図２５】
2006043062.tif 000027
【図２６】
2006043062.tif 000028
【図２７】
2006043062.tif 000029
【図２８】
2006043062.tif 000030
【図２９】
2006043062.tif 000031
【図３０】
2006043062.tif 000032
【図３１】
2006043062.tif 000033
【図３２】
2006043062.tif 000034
【図３８】
2006043062.tif 000035
【図３９】
2006043062.tif 000036
【図４１】
2006043062.tif 000037
【図４２】
2006043062.tif 000038
【図４３】
2006043062.tif 000039
【図３３】
2006043062.tif 000040
【図３４】
2006043062.tif 000041
【図３５】
2006043062.tif 000042
【図３６】
2006043062.tif 000043
【図３７】
2006043062.tif 000044
【図４０】
2006043062.tif 000045